(57)【要約】【課題】データ漏洩の恐れがなく特定のプリンタでのみ印刷出力可能にする。【解決手段】ＩＤナンバーを記憶するメモリを有するＩＣ携帯端末と、センサとＩＣリーダライタとを有するプリンタと、ＩＣリーダライタを有する発行端末とを備える発行システムであって、  プリンタは、ＩＣ携帯端末から読み取ったＩＤナンバーと、センサで読み取ったバイオメトリクスデータとによりプリンタの使用権限を認めるかを判断し、使用権限を認めたならば、認証コードを生成して、ＩＣ携帯端末のメモリに書き込むと同時にプリンタのメモリに記憶し、発行端末から送信された認証コードと、プリンタのメモリに記憶している認証コードとにより、発行端末から送信された認証コードが正しいかを判断し、正しいならば発行端末からの発行データの印刷出力を許可し、  発行端末は、ＩＣ携帯端末のメモリから認証コードを読み取って、プリンタに送信する。【選択図】図１
2010198086.tif 000002
【特許請求の範囲】
【請求項１】
ＩＤナンバーを記憶するメモリを有するＩＣ携帯端末と、センサとＩＣリーダライタとを有しさらにＩＤナンバーとバイオメトリクスデータとを組にして記憶するメモリを有するプリンタと、ＩＣリーダライタを有する発行端末とを備え、前記プリンタと前記発行端末とが接続されているシステムであって、
前記プリンタは、前記プリンタのＩＣリーダライタで前記ＩＣ携帯端末のメモリから読み取ったＩＤナンバーと組になっているバイオメトリクスデータと、前記センサで読み取ったバイオメトリクスデータとを照合することにより前記プリンタの使用権限を認めるかを判断する手段と、使用権限を認めたならば、認証コードを生成して、前記プリンタのＩＣリーダライタで前記ＩＣ携帯端末のメモリに書き込むと同時に前記プリンタのメモリに記憶する手段と、前記発行端末から送信された認証コードと、前記プリンタのメモリに記憶している認証コードとを照合することにより、前記発行端末から送信された認証コードが正しいかを判断し、正しいならば前記発行端末からの発行データの印刷出力を許可する手段とを有し、
前記発行端末は、前記発行端末のＩＣリーダライタに前記ＩＣ携帯端末が挿入されると、前記発行端末のＩＣリーダライタで前記ＩＣ携帯端末のメモリから認証コードを読み取って、前記プリンタに送信する手段を有することを特徴とする発行システム。
【請求項２】
前記プリンタが前記センサを有する代わりに、前記ＩＣ携帯端末が前記センサを有し、前記プリンタは、前記プリンタのＩＣリーダライタで、前記ＩＣ携帯端末の有する前記センサが読み取ったバイオメトリクスデータを読み取ることを特徴とする請求項１記載の発行システム。
【請求項３】
前記プリンタは、認証コードを生成するときに、暗号鍵も生成してＩＣ携帯端末のメモリに書き込み、
前記発行端末は、前記ＩＣ携帯端末のメモリから認証コードを読み取るときに、暗号鍵も読み取って、この暗号鍵で前記プリンタに送信するデータを暗号化することを特徴とする請求項１又は２に記載の発行システム。
【請求項４】
前記発行端末は、前記発行端末のＩＣリーダライタから前記ＩＣ携帯端末が外れると、外れた旨を前記プリンタに送信する手段を有し、
前記プリンタは、前記発行端末のＩＣリーダライタから前記ＩＣ携帯端末が外れた旨を前記発行端末から受信するか、或いは、前記プリンタの電源がＯＦＦからＯＮになったとき、前記プリンタのメモリに記憶している認証コードを変更又は削除する手段を有することを特徴とする請求項１〜３の何れか１項に記載の発行システム。
【請求項５】
ＩＤナンバーを記憶するメモリを有するＩＣ携帯端末と、センサとＩＣリーダライタとを有しさらにＩＤナンバーとバイオメトリクスデータとを組にして記憶するメモリを有するプリンタと、ＩＣリーダライタを有する発行端末とを備え、前記プリンタと前記発行端末とが接続されているシステムが実行する方法であって、
前記プリンタが、前記プリンタのＩＣリーダライタで前記ＩＣ携帯端末のメモリから読み取ったＩＤナンバーと組になっているバイオメトリクスデータと、前記センサで読み取ったバイオメトリクスデータとを照合することにより前記プリンタの使用権限を認めるかを判断する工程と、
使用権限を認めたならば、前記プリンタが、認証コードを生成して、前記プリンタのＩＣリーダライタで前記ＩＣ携帯端末のメモリに書き込むと同時に前記プリンタのメモリに記憶する工程と、
前記発行端末のＩＣリーダライタに前記ＩＣ携帯端末が挿入されると、前記発行端末が、前記発行端末のＩＣリーダライタで前記ＩＣ携帯端末のメモリから認証コードを読み取
って、前記プリンタに送信する工程と、
前記プリンタが、前記発行端末から送信された認証コードと、前記プリンタのメモリに記憶している認証コードとを照合することにより、前記発行端末から送信された認証コードが正しいかを判断し、正しいならば前記発行端末からの発行データの印刷出力を許可する工程とを含むことを特徴とする発行方法。
【請求項６】
前記プリンタが前記センサを有する代わりに、前記ＩＣ携帯端末が前記センサを有し、前記プリンタは、前記プリンタのＩＣリーダライタで、前記ＩＣ携帯端末の有する前記センサが読み取ったバイオメトリクスデータを読み取ることを特徴とする請求項５記載の発行方法。
【請求項７】
前記プリンタは、認証コードを生成するときに、暗号鍵も生成してＩＣ携帯端末のメモリに書き込み、
前記発行端末は、前記ＩＣ携帯端末のメモリから認証コードを読み取るときに、暗号鍵も読み取って、この暗号鍵で前記プリンタに送信するデータを暗号化することを特徴とする請求項５又は６に記載の発行方法。
【請求項８】
前記発行端末のＩＣリーダライタから前記ＩＣ携帯端末が外れると、前記発行端末が、外れた旨を前記プリンタに送信する工程と、
前記プリンタが、前記発行端末のＩＣリーダライタから前記ＩＣ携帯端末が外れた旨を前記発行端末から受信するか、或いは、前記プリンタの電源がＯＦＦからＯＮになったととき、前記プリンタのメモリに記憶している認証コードを変更又は削除する工程を含むことを特徴とする請求項５〜７の何れか１項に記載の発行方法。
【発明の詳細な説明】
【技術分野】
【０００１】
本発明は、ＩＤカードなどのセキュアドドキュメントの発行システム及び方法のセキュリティに関するものであり、第３者によるプリンタの不正使用の防止、及び発行データの漏洩を防止するために好ましく使用できるものである
【背景技術】
【０００２】
従来から、複数の機器が接続されるネットワークシステムにおいて、ホストコンピュータやスキャナなどの入力機器からデジタルデータを入力し、ネットワークを介して、プリンタやビデオカメラなどの出力機器からデジタルデータを出力する際、デジタルデータのヘッダにバイオメトリクスデータを付加し、ネットワーク上の出力機器に予め登録されているバイオメトリクスデータと一致した場合、出力を許可して出力可能にするものが知られている（例えば特許文献１参照）。
【０００３】
このシステムでは、ネットワーク上でバイオメトリクスデータのやり取りを行うため、バイオメトリクスデータ漏洩のリスクが伴う。
【０００４】
また、システムが同じならば特定の出力機器でなくてもデジタルデータの出力が可能である。
【先行技術文献】
【特許文献】
【０００５】
【特許文献１】特開２００２−２８１２７７号公報
【発明の概要】
【発明が解決しようとする課題】
【０００６】
本発明は斯かる背景技術に鑑みてなされたもので、データ漏洩の恐れがなく特定のプリンタでのみ印刷出力可能にすることを課題とする。
【課題を解決するための手段】
【０００７】
本発明において上記課題を解決するために、まず請求項１の発明では、ＩＤナンバーを記憶するメモリを有するＩＣ携帯端末と、センサとＩＣリーダライタとを有しさらにＩＤナンバーとバイオメトリクスデータとを組にして記憶するメモリを有するプリンタと、ＩＣリーダライタを有する発行端末とを備え、前記プリンタと前記発行端末とが接続されているシステムであって、
前記プリンタは、前記プリンタのＩＣリーダライタで前記ＩＣ携帯端末のメモリから読み取ったＩＤナンバーと組になっているバイオメトリクスデータと、前記センサで読み取ったバイオメトリクスデータとを照合することにより前記プリンタの使用権限を認めるかを判断する手段と、使用権限を認めたならば、認証コードを生成して、前記プリンタのＩＣリーダライタで前記ＩＣ携帯端末のメモリに書き込むと同時に前記プリンタのメモリに記憶する手段と、前記発行端末から送信された認証コードと、前記プリンタのメモリに記憶している認証コードとを照合することにより、前記発行端末から送信された認証コードが正しいかを判断し、正しいならば前記発行端末からの発行データの印刷出力を許可する手段とを有し、
前記発行端末は、前記発行端末のＩＣリーダライタに前記ＩＣ携帯端末が挿入されると、前記発行端末のＩＣリーダライタで前記ＩＣ携帯端末のメモリから認証コードを読み取って、前記プリンタに送信する手段を有することを特徴とする発行システムとしたもので
ある。
【０００８】
また請求項２の発明では、前記プリンタが前記センサを有する代わりに、前記ＩＣ携帯端末が前記センサを有し、前記プリンタは、前記プリンタのＩＣリーダライタで、前記ＩＣ携帯端末の有する前記センサが読み取ったバイオメトリクスデータを読み取ることを特徴とする請求項１記載の発行システムとしたものである。
【０００９】
また請求項３の発明では、前記プリンタは、認証コードを生成するときに、暗号鍵も生成してＩＣ携帯端末のメモリに書き込み、
前記発行端末は、前記ＩＣ携帯端末のメモリから認証コードを読み取るときに、暗号鍵も読み取って、この暗号鍵で前記プリンタに送信するデータを暗号化することを特徴とする請求項１又は２に記載の発行システムとしたものである。
【００１０】
また請求項４の発明では、前記発行端末は、前記発行端末のＩＣリーダライタから前記ＩＣ携帯端末が外れると、外れた旨を前記プリンタに送信する手段を有し、
前記プリンタは、前記発行端末のＩＣリーダライタから前記ＩＣ携帯端末が外れた旨を前記発行端末から受信するか、或いは、前記プリンタの電源がＯＦＦからＯＮになったとき、前記プリンタのメモリに記憶している認証コードを変更又は削除する手段を有することを特徴とする請求項１〜３の何れか１項に記載の発行システムとしたものである。
【００１１】
また請求項５の発明では、ＩＤナンバーを記憶するメモリを有するＩＣ携帯端末と、センサとＩＣリーダライタとを有しさらにＩＤナンバーとバイオメトリクスデータとを組にして記憶するメモリを有するプリンタと、ＩＣリーダライタを有する発行端末とを備え、前記プリンタと前記発行端末とが接続されているシステムが実行する方法であって、
前記プリンタが、前記プリンタのＩＣリーダライタで前記ＩＣ携帯端末のメモリから読み取ったＩＤナンバーと組になっているバイオメトリクスデータと、前記センサで読み取ったバイオメトリクスデータとを照合することにより前記プリンタの使用権限を認めるかを判断する工程と、
使用権限を認めたならば、前記プリンタが、認証コードを生成して、前記プリンタのＩＣリーダライタで前記ＩＣ携帯端末のメモリに書き込むと同時に前記プリンタのメモリに記憶する工程と、
前記発行端末のＩＣリーダライタに前記ＩＣ携帯端末が挿入されると、前記発行端末が、前記発行端末のＩＣリーダライタで前記ＩＣ携帯端末のメモリから認証コードを読み取って、前記プリンタに送信する工程と、
前記プリンタが、前記発行端末から送信された認証コードと、前記プリンタのメモリに記憶している認証コードとを照合することにより、前記発行端末から送信された認証コードが正しいかを判断し、正しいならば前記発行端末からの発行データの印刷出力を許可する工程とを含むことを特徴とする発行方法としたものである。
【００１２】
また請求項６の発明では、前記プリンタが前記センサを有する代わりに、前記ＩＣ携帯端末が前記センサを有し、前記プリンタは、前記プリンタのＩＣリーダライタで、前記ＩＣ携帯端末の有する前記センサが読み取ったバイオメトリクスデータを読み取ることを特徴とする請求項５記載の発行方法としたものである。
【００１３】
また請求項７の発明では、前記プリンタは、認証コードを生成するときに、暗号鍵も生成してＩＣ携帯端末のメモリに書き込み、
前記発行端末は、前記ＩＣ携帯端末のメモリから認証コードを読み取るときに、暗号鍵も読み取って、この暗号鍵で前記プリンタに送信するデータを暗号化することを特徴とする請求項５又は６に記載の発行方法としたものである。
【００１４】
また請求項８の発明では、前記発行端末のＩＣリーダライタから前記ＩＣ携帯端末が外れると、前記発行端末が、外れた旨を前記プリンタに送信する工程と、
前記プリンタが、前記発行端末のＩＣリーダライタから前記ＩＣ携帯端末が外れた旨を前記発行端末から受信するか、或いは、前記プリンタの電源がＯＦＦからＯＮになったととき、前記プリンタのメモリに記憶している認証コードを変更又は削除する工程を含むことを特徴とする請求項５〜７の何れか１項に記載の発行方法としたものである。
【発明の効果】
【００１５】
請求項１及び５の発明は、プリンタでプリンタの使用権限を認めるかを判断するので、バイオメトリクスデータをプリンタと発行端末との間でやり取りすることがなく、使用権限が認められた特定のプリンタでのみ印刷出力が可能であるという効果がある。
【００１６】
請求項２及び６の発明は、プリンタにセンサが無くても、プリンタでプリンタの使用権限を認めるかを判断するので、バイオメトリクスデータをプリンタと発行端末との間でやり取りすることがなく、使用権限が認められた特定のプリンタでのみ印刷出力が可能であるというという効果がある。
【００１７】
請求項３及び７の発明は、暗号鍵をＩＣ携帯端末のメモリに記憶させてプリンタから発行端末に運び、この暗号鍵で発行端末からプリンタに送信する全てのデータを暗号化できるという効果がある。
【００１８】
請求項４及び８の発明は、発行端末のＩＣリーダライタからＩＣ携帯端末が外れるか、或いは、プリンタの電源がＯＦＦになったとき、使用権限を認めたことが無効になるという効果がある。
【００１９】
以上、本発明は、データ漏洩の恐れがなく特定のプリンタでのみ印刷出力可能にするという効果がある。
【図面の簡単な説明】
【００２０】
【図１】本発明に係るシステムの構成を示す図。
【図２】本発明に係るシステムにおける事前準備処理の流れを示すフローチャート。
【図３】本発明に係るシステムにおける発行許可に係る処理の流れを示すフローチャート。
【図４】本発明に係るシステムにおける使用権限の有効期限に係る処理の流れを示すフローチャート。
【発明を実施するための形態】
【００２１】
以下に、本発明の一実施形態を説明する。
【００２２】
本発明に係るシステムは、図１に示すように、ＩＣ携帯端末１０と、プリンタ２０と、発行端末３０とを備え。これらプリンタ２０と発行端末３０とは接続されている。
【００２３】
ＩＣ携帯端末１０は、携帯可能な物にメモリを有するＩＣチップを組み込んだものである。この携帯可能な物がカードである場合は、一般にＩＣカードと呼ばれるが、カード以外の他の形状の物であっても良い。このメモリは、ＩＣ携帯端末１０を唯一に識別するＩＤナンバーを記憶している。
【００２４】
プリンタ２０は、センサ２１と、ＩＣリーダライタ２２とを有する。
【００２５】
発行端末３０は、パソコンなどのコンピュータであって、ＩＣリーダライタ３１を有する。発行端末３０は、発行ソフトウェアがインストールされており、以下の発行許可に係る処理及び使用権限の有効期限に係る処理の内、発行端末３０が行うものは、発行ソフトウェアによって実行される。
【００２６】
センサ２１は、人の生体からバイオメトリクスデータを読み出す装置である。バイオメトリクスデータとしては、例えば、この人の指紋、指静脈、手のひら静脈、虹彩、顔、或いは声紋などを示すデータが挙げられる。
【００２７】
ＩＣリーダライタ２２、３１は、ＩＣ携帯端末１０が挿入されると、ＩＣ携帯端末１０と通信可能になり、ＩＣ携帯端末１０のメモリに記憶されているデータを読み出したり、また、そのメモリにデータを書き込んだりする装置である。
【００２８】
あらかじめ、プリンタ２０のメモリにＩＤナンバーとバイオメトリクスデータとの組みを、事前準備処理により登録して記憶しておく。以下に、この準備処理を、図２のフローチャートに従って説明する。
【００２９】
Ｓ（ＳＴＥＰ）１；
プリンタ２０のＩＣリーダライタ２２にＩＣ携帯端末１０が挿入されると、プリンタ２０は、ＩＣリーダライタ２２でＩＣ携帯端末１０のメモリから、ＩＤナンバーを読み取る。
【００３０】
Ｓ（ＳＴＥＰ）２；
プリンタ２０は、センサ２１で、人の生体から、バイオメトリクスデータを読み取る。
【００３１】
Ｓ（ＳＴＥＰ）３；
プリンタ２０は、読み取ったＩＤナンバーと、読み取ったバイオメトリクスデータとを一つの組として紐付けてプリンタ２０のメモリに記憶する。
【００３２】
以下に、発行許可に係る処理の流れを図３のフローチャートに従って説明する。
【００３３】
Ｓ（ＳＴＥＰ）１；
プリンタ２０のＩＣリーダライタ２２にＩＣ携帯端末１０が挿入されると、プリンタ２０は、ＩＣリーダライタ２２でＩＣ携帯端末１０のメモリから、ＩＤナンバーを読み取る。
【００３４】
Ｓ（ＳＴＥＰ）２；
プリンタ２０は、センサ２１で、人の生体から、バイオメトリクスデータを読み取る。
【００３５】
Ｓ（ＳＴＥＰ）３；
プリンタ２０は、ＩＣリーダライタ２２で読み取ったＩＤナンバーと組になっているバイオメトリクスデータをメモリから読出し、このバイオメトリクスデータと、センサ２１で読み取ったバイオメトリクスデータとを照合して一致するか否かで、プリンタ２０の使用権限を認めるか否かを判断する。
使用権限を認めなければＳＴＥＰ４に進む。
使用権限を認めたのであればＳＴＥＰ５に進む。
【００３６】
Ｓ（ＳＴＥＰ）４；
プリンタ２０は、使用不可であることを表示して、ＥＮＤに進む。
【００３７】
Ｓ（ＳＴＥＰ）５；
プリンタ２０は、使用権限を認めた都度、認証コードと暗号鍵と復号鍵とを、新たに生成する。但し、発行端末３０からプリンタ２０へ送信するデータを暗号化する必要のない場合、暗号鍵と復号鍵とを生成せず、以後、暗号鍵及び復号鍵に係る処理は省略される。
【００３８】
Ｓ（ＳＴＥＰ）６；
プリンタ２０は、読み取ったＩＤナンバーと生成した認証コードと暗号鍵とを、ＩＣリーダライタ２２で、ＩＣリーダライタ２２に挿入されているＩＣ携帯端末１０のメモリに書き込むと同時に、生成した認証コードと復号鍵とを、読み取ったＩＤナンバーと紐付けてプリンタ２０のメモリに書き込む。
【００３９】
Ｓ（ＳＴＥＰ）７；
発行端末３０のＩＣリーダライタ２２にＩＣ携帯端末１０が挿入されると、発行端末３０は、ＩＣリーダライタ３１で、ＩＣ携帯端末１０のメモリから、ＩＤナンバーと認証コードと暗号鍵とを読み取る。
【００４０】
Ｓ（ＳＴＥＰ）８；
発行端末３０は、ＩＣリーダライタ３１で読み取った認証コードを、同じくＩＣリーダライタ３１で読み取った暗号鍵で暗号化して、同じくＩＣリーダライタ３１で読み取ったＩＤナンバーと一緒に、プリンタ２０に送信する。尚、暗号化するのは、このように認証コードのみでも良いし、或いは、ＩＤナンバーと認証コードの両方でも良い。ＩＤナンバーも暗号化する場合、前の処理で、生成した認証コードと復号鍵とを、読み取ったＩＤナンバーと紐付けてプリンタ２０のメモリに書き込む代わりに、読み取ったＩＤナンバーを、この暗号鍵で暗号化し、暗号化したＩＤナンバーと紐付けてプリンタ２０のメモリに書き込み。以後、ＩＤナンバーに係る処理を、暗号化したＩＤナンバーで行う。
【００４１】
Ｓ（ＳＴＥＰ）９；
プリンタ２０は、発行端末３０から、ＩＤナンバーと、暗号化された認証コードとを受信する。そして、メモリから、受信したＩＤナンバーと紐付けられている復号鍵を読み出して、この暗号化された認証コードを、この復号鍵で復号化する。そして、メモリから、受信したＩＤナンバーと紐付けられている認証コードを読み出し、復号化した認証コードを、メモリから読み出した認証コードと照合して一致するか否かで、復号化した認証コードが正しいか否かを判断する。
正しくないならばＳＴＥＰ１０に進む。
正しいならばＳＴＥＰ１１に進む。
【００４２】
Ｓ（ＳＴＥＰ）１０；
プリンタ２０は、発行不可の旨を発行端末３０に送信する。そして、発行端末３０は、その旨をプリンタ２０から受信すると、発行不可であることを表示して、ＥＮＤに進む。
【００４３】
Ｓ（ＳＴＥＰ）１１；
プリンタ２０は、発行許可の旨を発行端末３０に送信する。
【００４４】
Ｓ（ＳＴＥＰ）１２；
発行端末３０は、その旨をプリンタ２０から受信すると、ＩＣリーダライタ３１で読み取った暗号鍵で発行データを暗号化してプリンタ２０に送信する。
【００４５】
Ｓ（ＳＴＥＰ）１３；
プリンタ２０は、発行端末３０から暗号化された発行データを受け取ると、メモリから復号鍵を読み出し、読み出した復号鍵で、暗号化された発行データを復号化する。そして、プリンタ２０は、復号化した発行データに従って印刷物を出力することにより、この印刷物を発行する。
【００４６】
尚、プリンタ２０がセンサ２１を有する代わりに、ＩＣ携帯端末１０が有することとし、プリンタ２０は、そのＩＣリーダライタ２２で、ＩＣ携帯端末１０の有するセンサ２１が読み取ったバイオメトリクスデータを読み取っても良い。
【００４７】
以下に、使用権限の有効期限に係る処理の流れを図４のフローチャートに従って説明する。
【００４８】
Ｓ（ＳＴＥＰ）１；
上述の発行許可に係る処理の流れの例のＳＴＥＰ１〜６に説明したように、プリンタ２０でのバイオメトリクス認証が成功すると、認証コードが生成されてＩＣ携帯端末１０のメモリに書き込まれると同時にプリンタ２０のメモリにも書き込まれることにより、この認証コードがＩＣ携帯端末１０のメモリに取得される。
【００４９】
Ｓ（ＳＴＥＰ）２；
上述の発行許可に係る処理の流れの例のＳＴＥＰ７〜８に説明したように、発行端末３０のＩＣリーダライタ３１にＩＣ携帯端末１０が挿入されると、発行端末３０は、ＩＣリーダライタ３１で、ＩＣ携帯端末１０のメモリ内の認証コードを読み取り、プリンタ２０へ送信する。
【００５０】
Ｓ（ＳＴＥＰ）３；
発行端末３０は、ＩＣ携帯端末１０がＩＣリーダライタ３１から外れたかを確認する。
外れてないならばＳＴＥＰ４に進む。
外れたならば、発行端末３０は、ＩＣ携帯端末１０がＩＣリーダライタ３１から外れた旨をプリンタ２０に送信して、ＳＴＥＰ５に進む。
【００５１】
Ｓ（ＳＴＥＰ）４；
プリンタ２０の電源がＯＦＦでないならばＳＴＥＰ３に戻る。
プリンタ２０の電源がＯＦＦならばＳＴＥＰ５に進む。
【００５２】
Ｓ（ＳＴＥＰ）５；
プリンタ２０は、ＩＣ携帯端末１０がＩＣリーダライタ３１から外れた旨を発行端末３０から受信するか、或いは、電源がＯＦＦからＯＮになったとき、メモリに記録している認証コードを、変更又は削除する。
【００５３】
尚、プリンタ２０は、１つの出力物の出力が終わったら、メモリに記録している認証コードを、変更又は削除しても良い。
【００５４】
また、プリンタ２０は、あらかじめ設定した一定の時間経過後に、メモリに記録している認証コードを、変更又は削除しても良い。
【符号の説明】
【００５５】
１０…ＩＣ携帯端末
２０…プリンタ
２１…センサ
２２…ＩＣリーダライタ
３０…発行端末
３１…ＩＣリーダライタ
【図１】
2010198086.tif 000003
【図２】
2010198086.tif 000004
【図３】
2010198086.tif 000005
【図４】
2010198086.tif 000006